(57)【要約】【課題】  木材に含有される油分を残した状態で木材を乾燥させることを可能にすることにより、見た目にも美しく、かつ、建材として使用中に芳香剤、殺虫剤、殺菌剤、森林浴効果剤としての多くの有効な機能を発揮させることができる木材の熟成乾燥方法および木材の熟成乾燥装置の提供。【解決手段】  木材５を密閉状態で収容可能な密閉乾燥室１と、該密閉乾燥室１内を除湿する除湿装置２と、該密閉乾燥室２内に穏やかな癒し系の音を流すことにより木材に心地良い不規則な波動を与える音響装置３と、を備え、密閉乾燥室１内に木材５を収容し、該密閉乾燥室１内に穏やかな癒し系の音を流して木材５に心地良い不規則な波動を与えながら密閉乾燥室１内を除湿装置２で除湿することによって木材５の熟成乾燥を行う。【選択図】      図２
2005335096.tif 000002
【特許請求の範囲】
【請求項１】
密閉乾燥室内に木材を収容し、該密閉乾燥室内に穏やかな癒し系の音を流して木材に心地良い不規則な波動を与えながら前記密閉乾燥室内を除湿装置で除湿することによって前記木材の熟成乾燥を行うことを特徴とする木材の熟成乾燥方法。
【請求項２】
木材を密閉状態で収容可能な密閉乾燥室と、
該密閉乾燥室内を除湿する除湿装置と、
該密閉乾燥室内に穏やかな癒し系の音を流すことにより木材に心地良い不規則な波動を与える音響装置と、
を備えていることを特徴とする木材の熟成乾燥装置。
【請求項３】
請求項２に記載の木材の熟成乾燥装置において、前記密閉乾燥室内に該密閉乾燥室内の空気を循環させる送風装置が備えられていることを特徴とする木材の熟成乾燥装置。
【請求項４】
請求項１〜３のいずれか１項に記載の木材の熟成乾燥方法または木材の熟成乾燥装置において、前記穏やかな癒し系の音が１／ｆゆらぎ現象を備えた音であることを特徴とする木材の熟成乾燥方法または木材の熟成乾燥装置。
【請求項５】
請求項４に記載の木材の熟成乾燥方法または木材の熟成乾燥装置において、前記１／ｆゆらぎ現象を備えた音がそよ風、川のせせらぎ、潮騒等の自然に存在する心地良い変動音であることを特徴とする木材の熟成乾燥方法または木材の熟成乾燥装置。
【請求項６】
請求項１〜３のいずれか１項に記載の木材の熟成乾燥方法または木材の熟成乾燥装置において、前記穏やかな癒し系の音がクラシック音楽であることを特徴とする木材の熟成乾燥方法または木材の熟成乾燥装置。
【請求項７】
請求項６に記載の木材の熟成乾燥方法または木材の熟成乾燥装置において、前記穏やかな癒し系の音がモーツアルト作曲のクラシック音楽であることを特徴とする木材の熟成乾燥方法または木材の熟成乾燥装置。
【請求項８】
請求項６に記載の木材の熟成乾燥方法または木材の熟成乾燥装置において、前記穏やかな癒し系の音がバッハ作曲のクラシック音楽であることを特徴とする木材の熟成乾燥方法または木材の熟成乾燥装置。
【発明の詳細な説明】
【技術分野】
【０００１】
本発明は、木材の熟成乾燥方法および木材の熟成乾燥装置に関する。
【背景技術】
【０００２】
建築等で使用される木材は、生材料である木材を乾燥させた後に使用されるが、従来、生材料である木材を乾燥させる方法として、密閉乾燥室内に木材を収容し、ヒーターを含む自動制御機器により室温を４０℃前後に維持させた状態で、該密閉乾燥室内を除湿装置で除湿することにより、木材を乾燥させるようにした技術が知られている（例えば、特許文献１参照。）。
【０００３】
【特許文献１】特開平７−９４１２号公報  （明細書（２）頁）
【発明の開示】
【発明が解決しようとする課題】
【０００４】
しかしながら、除湿装置を用いた木材の乾燥方法にあっては、生材料である木材に含有される油分が水分と共にしみだして蒸発し、その結果木材から有効な油分が抜き取られた状態になるという問題点があった。
即ち、生材料である木材に含有される油分は、これを生材料の木材から種々の方法で採取することにより、古くから天然香料として利用されており、また、最近の木材科学の発展によりその生物活性作用の態様が明らかになり、芳香剤、殺虫剤、殺菌剤としての利用や、内装建材への封じ込めによる森林浴建材や、繊維中に封じ込めた森林浴繊維、織物等に用途が拡大しつつある。
従って、乾燥により木材から油分が抜き取られることは、木材の価値を低下させることになる。
【０００５】
本発明の解決しようとする課題は、木材に含有される油分を残した状態で木材を乾燥させることを可能にすることにより、見た目にも美しく、かつ、建材として使用中に芳香剤、殺虫剤、殺菌剤、森林浴効果剤としての多くの有効な機能を発揮させることができる木材の熟成乾燥方法および木材の熟成乾燥装置を提供することにある。
【課題を解決するための手段】
【０００６】
上記課題を解決するため請求項１記載の木材の熟成乾燥方法は、密閉乾燥室内に木材を収容し、該密閉乾燥室内に穏やかな癒し系の音を流して木材に心地良い不規則な波動を与えながら前記密閉乾燥室内を除湿装置で除湿することによって前記木材の熟成乾燥を行うことを特徴とする手段とした。
【０００７】
請求項２記載の木材の熟成乾燥装置は、木材を密閉状態で収容可能な密閉乾燥室と、該密閉乾燥室内を除湿する除湿装置と、該密閉乾燥室内に穏やかな癒し系の音を流すことにより木材に心地良い不規則な波動を与える音響装置と、を備えていることを特徴とする手段とした。
【０００８】
請求項３記載の木材の熟成乾燥装置は、請求項２に記載の木材の熟成乾燥装置において、前記密閉乾燥室内に該密閉乾燥室内の空気を循環させる送風装置が備えられていることを特徴とする手段とした。
【０００９】
請求項４記載の木材の熟成乾燥方法または木材の熟成乾燥装置は、請求項１〜３のいずれか１項に記載の木材の熟成乾燥方法または木材の熟成乾燥装置において、前記穏やかな癒し系の音が１／ｆゆらぎ現象を備えた音であることを特徴とする手段とした。
【００１０】
請求項５記載の木材の熟成乾燥方法または木材の熟成乾燥装置は、請求項４に記載の木材の熟成乾燥方法または木材の熟成乾燥装置において、前記１／ｆゆらぎ現象を備えた音がそよ風、川のせせらぎ、潮騒等の自然に存在する心地良い変動音であることを特徴とする手段とした。
【００１１】
請求項６記載の木材の熟成乾燥方法または木材の熟成乾燥装置は、請求項１〜３のいずれか１項に記載の木材の熟成乾燥方法または木材の熟成乾燥装置において、前記穏やかな癒し系の音がクラシック音楽であることを特徴とする手段とした。
【００１２】
請求項７記載の木材の熟成乾燥方法または木材の熟成乾燥装置は、請求項６項に記載の木材の熟成乾燥方法または木材の熟成乾燥装置において、前記穏やかな癒し系の音がモーツアルト作曲のクラシック音楽であることを特徴とする手段とした。
【００１３】
請求項８記載の木材の熟成乾燥方法または木材の熟成乾燥装置は、請求項６に記載の木材の熟成乾燥方法または木材の熟成乾燥装置において、前記穏やかな癒し系の音がバッハ作曲のクラシック音楽であることを特徴とする手段とした。
【発明の効果】
【００１４】
請求項１記載の木材の熟成乾燥方法では、上述のように、密閉乾燥室内に木材を収容し、該密閉乾燥室内に穏やかな癒し系の音を流して木材に心地良い不規則な波動を与えながら密閉乾燥室内を除湿装置で除湿することによって木材の熟成乾燥を行うようにしたことにより、木材に含有される油分を残した状態で木材を乾燥させることが可能になる。
従って、この方法により乾燥した木材は、油分が残ることで見た目にも美しく、かつ、建材として使用中に芳香剤、殺虫剤、殺菌剤、森林浴効果剤としての多くの有効な機能を発揮させることができるようになるという効果が得られる。
【００１５】
請求項２記載の木材の熟成乾燥方法では、木材を密閉状態で収容可能な密閉乾燥室と、該密閉乾燥室内を除湿する除湿装置と、該密閉乾燥室内に穏やかな癒し系の音を流すことにより木材に心地良い不規則な波動を与える音響装置と、を備えている構成としたことにより、木材に含有される油分を残した状態で木材を乾燥させることが可能になる。
従って、この装置により乾燥した木材は、油分が残ることで見た目にも美しく、かつ、建材として使用中に芳香剤、殺虫剤、殺菌剤、森林浴効果剤としての多くの有効な機能を発揮させることができるようになるという効果が得られる。
【００１６】
請求項３記載の木材の熟成乾燥装置では、前記密閉乾燥室内に該密閉乾燥室内の空気を循環させる送風装置が備えられることで、乾燥速度を速めると共に、密閉乾燥室内に収容された全ての木材を均一に乾燥させることができるようになる。
【００１７】
請求項４記載の木材の熟成乾燥方法または木材の熟成乾燥装置では、前記穏やかな癒し系の音を１／ｆゆらぎ現象を備えた音とすることにより、木材に心地良い不規則な波動を与えることができ、これにより、木材に含有される油分を残した状態で木材を乾燥させることができるようになる。
【００１８】
請求項５記載の木材の熟成乾燥方法または木材の熟成乾燥装置では、前記１／ｆゆらぎ現象を備えた音をそよ風、川のせせらぎ、潮騒等の自然に存在する心地良い変動音とすることにより、木材に心地良い不規則な波動を与えることができ、これにより、木材に含有される油分を残した状態で木材を乾燥させることができるようになる。
【００１９】
請求項６記載の木材の熟成乾燥方法または木材の熟成乾燥装置では、前記穏やかな癒し系の音をクラシック音楽とすることにより、木材に心地良い不規則な波動を与えることができ、これにより、木材に含有される油分を残した状態で木材を乾燥させることができるようになる。
【００２０】
請求項７記載の木材の熟成乾燥方法または木材の熟成乾燥装置では、前記穏やかな癒し系の音をモーツアルト作曲のクラシック音楽とすることにより、木材に心地良い不規則な波動を与えることができ、これにより、木材に含有される油分を残した状態で木材を乾燥させることができるようになる。
【００２１】
請求項８記載の木材の熟成乾燥方法または木材の熟成乾燥装置では、前記穏やかな癒し系の音をバッハ作曲のクラシック音楽とすることにより、木材に心地良い不規則な波動を与えることができ、これにより、木材に含有される油分を残した状態で木材を乾燥させることができるようになる。
【発明を実施するための最良の形態】
【００２２】
以下にこの発明の実施例を図面に基づいて説明する。
【実施例】
【００２３】
この実施例の木材の熟成乾燥方法は、請求項１〜８に記載の発明に対応する。
まず、この実施例の木材の熟成乾燥装置を図面に基づいて説明する。
【００２４】
図１はこの実施例の木材の熟成乾燥方法を実施する木材の熟成乾燥装置を示す横断平面図、図２は同装置の縦断面図である。
この木材の熟成乾燥装置は、密閉乾燥室１と、除湿装置２と、送風装置３と、音響装置４とを主な構成として備えている。
【００２５】
さらに詳述すると、前記密閉乾燥室１は、生材料である木材５を密閉状態で収容可能に構成され、その内部一側には、機械室１１が区画形成されていて、この機械室１１内に前記除湿装置２が配置されている。この除湿装置２は、密閉乾燥室１内を除湿することによって木材５を乾燥させる役目をなすもので、木材５の湿気を含んだ密閉乾燥室１内の空気を下部の吸気口２１から吸い込んで除湿し、乾燥した空気を上部の噴出し口２２から密閉乾燥室１内に放出することにより、密閉乾燥室１内の湿度を低下させ、これにより、木材５から水分を蒸発させて乾燥させる。
【００２６】
前記送風装置３は、密閉乾燥室１内の空気を循環させる役目をなすもので、この実施例では、機械室１１を区画する上壁の上に設置されている。なお、密閉乾燥室１はその前面壁１２が開閉可能に形成されていて、木材５の搬入、搬出が可能になっている。
また、前記機械室１１もその前面に機械室１１内に出入り可能な開閉扉１３が設けられ、機械室１１と密閉乾燥室１との間にも機械室１１から密閉乾燥室１内を点検可能な開閉扉１４が設けられている。
【００２７】
前記音響装置４は、密閉乾燥室１内に穏やかな癒し系の音を流すことにより木材に心地良い不規則な波動を与える役目をなすもので、この音響装置４から流す穏やかな癒し系の音として、この実施例では、「１／ｆゆらぎ」現象を備えた音を流すようにする。
【００２８】
この「１／ｆゆらぎ」とは、そのパワースペクトルが周波数ｆに反比例することから名付けられたもので、一言でいうと、生物に対し精神的な安らぎを与えてくれる可能性のある変動（波）現象とされ、そよ風、川のせせらぎ、潮騒等、身の回りにごく自然に存在する心地良い変動現象に存在し、また、この現象は、古くから人々の心を魅了し続けているモーツアルトやバッハ作曲の名曲クラシック音楽のリズムの中にも存在する。ちなみに、「１／ｆゆらぎ」で直線を並べると、図３に示すように、木目（柾目）の雰囲気になる。
【００２９】
この実施例１の木材の熟成乾燥装置では、上述のように構成されるため、前面壁１２を開け、空気流通空間を開けて複数段に積み上げた生材料である木材５を密閉乾燥室１内に収容し、前面壁１２を閉めて密閉乾燥室１内を密閉状態にする。
次に、この状態で、音響装置４で上述のクラシック音楽を流したり、そよ風、川のせせらぎ、潮騒等を録音した音を音響装置４で流すことにより、木材５に心地良い不規則な波動を与える一方、除湿装置２および送風装置３を駆動させて密閉乾燥室１内の空気を均一に乾燥させる。
【００３０】
すると、運転開始から３日目位に木材５から水分が出始め、２週間位で含水率が１５％位まで落ち、木材５の乾燥を終了する。
ところが、除湿乾燥中に木材５に心地良い不規則な波動を与えることにより、水分のみを蒸発させ、生材料である木材５に含有される油分を残した状態で木材５を乾燥させることができるようになった。
【００３１】
このように、油分が残る理由については明らかではないが、除湿乾燥中に木材５に上述のような心地良い不規則な波動を与えることにより、生き物である木材５がストレスやダメージを受けることなしに、水分と油分が効率よく分離され、蒸発し易い水分が先に蒸発するためではないかと推測される。また、この実施例では、密閉乾燥室１内を強制的に加熱することがないため、室温は４０℃程度に維持され、木材５が高温にさらされることがない。
【００３２】
従って、この実施例の木材の熟成乾燥装置を用いた木材の熟成乾燥方法により乾燥した木材は、油分が残ることで見た目にも美しく、かつ、建材として使用中に芳香剤、殺虫剤、殺菌剤、森林浴効果剤としての多くの有効な機能を発揮させることができるようになるという効果が得られる。
【００３３】
以上本実施例を説明してきたが、本発明は上述の実施例に限られるものではなく、本発明の要旨を逸脱しない範囲の設計変更等があっても、本発明に含まれる。
例えば、実施例では、送風装置３を１機だけ備えたが、複数機備えるようにしてもよい。
【００３４】
また、実施例では加熱装置を備えない例を示したが、加熱装置を含む室温自動調整手段を備えることにより、密閉乾燥室１内の温度を所定の温度（例えば、３８〜４０℃程度）に自動制御するようにしてもよい。
【図面の簡単な説明】
【００３５】
【図１】実施例の木材の熟成乾燥装置を示す横断平面図である。
【図２】実施例の木材の熟成乾燥装置を示す縦断面図である。
【図３】「１／ｆゆらぎ」で直線を並べた状態を示す説明図である。
【符号の説明】
【００３６】
１  密閉乾燥室
１１  機械室
１２  前面壁
１３  開閉扉
１４  開閉扉
２  除湿装置
２１  吸気口
２２  噴出し口
３  送風装置
４  音響装置
５  木材
【図１】
2005335096.tif 000003
【図２】
2005335096.tif 000004
【図３】
2005335096.tif 000005